(57)【要約】圧力解放バルブは、第１バルブ開口（８）を囲繞すべく中央配置されたバルブ座面（１０）上にシール様式で着座するスプリング負荷ダイアフラム状閉塞体（１３）を有する。該スプリング負荷は、その上方に中央配置された対抗圧力体（３０）により達成される。バルブ座面（１０）は当該バルブのハウジング本体（２）に配備されたチャネル状バルブ・チャンバ（１１）により囲繞され、該チャンバには過剰圧力側に少なくとも一個の第２バルブ開口（９）が配備される。高い過剰圧力を排出可能とすべく、対抗圧力体（３０）は、バルブ・ハウジング（６）上に保持されると共に周縁凹所（１９）を有するダイアフラム支持リング（１７）であってダイアフラム状閉塞体（１３）に対して直交して測定された該周縁凹所（１９）の深度はダイアフラム状閉塞体（１３）の最大変位に対応するというダイアフラム支持リング（１７）により囲繞されることから、当該バルブが完全に開成されたときに前記ダイアフラム状閉塞体は前記バルブ座面（１０）と該ダイアフラム状閉塞体の外側縁部との間の領域において支持される。
2004514850.tif 000002
【特許請求の範囲】
【請求項１】
スプリング圧負荷式ダイアフラム状閉塞体（１３）を備えた圧力解放バルブであって、該ダイアフラム状閉塞体は閉成位置においては第１バルブ開口（８）を囲繞する中央載置バルブ座面（１０）にシール的に係合すると共に、シール圧力を決定する該ダイアフラム状閉塞体のスプリング圧負荷は前記バルブ座面（１０）の近傍かつ該バルブ座面（１０）の上方に中央配置された対抗圧力体（１５）により引き起こされ、前記バルブ座面（１０）は前記ダイアフラム状閉塞体（１３）によりカバーされたチャネル状バルブ・チャンバ（１１）であってバルブ・ハウジング本体（２）内に配備されると共に過剰圧力側にては少なくとも一個の第２バルブ開口（９）が配備されたチャネル状バルブ・チャンバ（１１）に囲繞された圧力解放バルブにおいて、
前記バルブ座面（１０）上に載置された前記対抗圧力体または該対抗圧力体と協働する対抗圧力プレート（２４）は、バルブ・ハウジング（６）上に保持されたダイアフラム支持リング（１７）であって前記対抗圧力体（１５）からバルブ・チャンバ（１１）に亙り前記ダイアフラム状閉塞体（１３）の外側縁部まで外径方向に延在し且つバルブ・チャンバ（１１）の上方にては前記ダイアフラム状閉塞体（１３）に直交して測定された深度が該ダイアフラム状閉塞体（１３）の最大撓みを決定するという周縁凹所（１９）を有するダイアフラム支持リング（１７）により囲繞されることから、当該バルブが完全に開成されたときに前記ダイアフラム状閉塞体（１３）は前記バルブ座面（１０）と該ダイアフラム状閉塞体（１３）の外側縁部との間の領域において支持されることを特徴とする、圧力解放バルブ。
【請求項２】
前記凹所（１９）は下方に突出する支持縁部（１６）により内径方向にて境界付けられることを特徴とする、請求項１記載の圧力解放バルブ。
【請求項３】
前記ダイアフラム状閉塞体（１３）は前記閉成位置においては解放されて平坦となり且つ前記バルブ座面（１０）は前記閉成位置において前記ダイアフラム状閉塞体（１３）に平行に延在することを特徴とする、請求項１または２に記載の圧力解放バルブ。
【請求項４】
前記対抗圧力体（１５）と前記ダイアフラム状閉塞体（１３）との間には対抗圧力プレート（２４）が配置されると共に、
前記対抗圧力プレート（２４）と前記対抗圧力体（１５）との間の接触は、これらの一方に配備された円形対称湾曲表面（２５）であってその曲率の中心は前記第１バルブ開口（８）の軸心内に在る円形対称湾曲表面（２５）により行われることを特徴とする、請求項２または３に記載の圧力解放バルブ。
【請求項５】
前記支持リング（１７）はその外周において前記ハウジング本体（２）の周縁表面上に前記ダイアフラム状閉塞体（１３）をシール的に挟持捕捉する挟持用縁部（１８）を有し、該支持リング（１７）は挟持嵌合表面（１２）に向けて作用する張力付与要素（２０）による事前張力下に維持されることを特徴とする、請求項１乃至４のいずれか一項に記載の圧力解放バルブ。
【請求項６】
前記バルブ・チャンバ（１１）は前記ダイアフラム状閉塞体（１３）に係合するシール・リング（３７）であって前記ハウジング本体（２）の周縁スロット（３８）内に配置されるシール・リング（３７）により外径方向にてシールされることから、前記ダイアフラム状閉塞体（１３）の開成もしくは閉成移動の間において該ダイアフラム状閉塞体（１３）はその縁部シールの領域において該ダイアフラム状閉塞体の平面内で補償移動を行うことを特徴とする、請求項１乃至５のいずれか一項に記載の圧力解放バルブ。
【請求項７】
前記バルブ・チャンバ（１）の近傍にて前記ダイアフラム状閉塞体（１３）は少なくとも一個のチャネル状膨出部（３９）もしくは段部を有することを特徴とする、請求項１乃至６のいずれか一項に記載の圧力解放バルブ。
【請求項８】
前記対抗圧力体（１５）のスプリング圧負荷は少なくとも一枚のディスク・スプリング（１４）により提供されることを特徴とする、請求項１乃至７のいずれか一項に記載の圧力解放バルブ。
【請求項９】
当該バルブが閉成されたときに前記第１バルブ開口（８）に向けて表面が傾斜すべく等方向に係合する一枚もしくは二枚のディスク・スプリング（１４）が在ることを特徴とする、請求項８記載の圧力解放バルブ。
【請求項１０】
前記対抗圧力体（１３）は前記支持リング（１７）内に囲繞されたプレート（３０）の形態であることを特徴とする、請求項８もしくは９に記載の圧力解放バルブ。
【請求項１１】
前記ディスク・スプリング（１４）はスプリング事前張力を決定するネジ体（３２）の凹所（３１）内に配置されることを特徴とする、請求項８乃至１０のいずれか一項に記載の圧力解放バルブ。
【請求項１２】
前記ディスク・スプリング（１４）に張力付与する前記ネジ体（３２）は前記支持リング（１７）を保持するネジ・リング（２０）内に螺着されることを特徴とする、請求項８乃至１１のいずれか一項に記載の圧力解放バルブ。
【発明の詳細な説明】
【０００１】
本発明は、スプリング圧負荷式ダイアフラム状閉塞体を備えた圧力解放バルブであって、該ダイアフラム状閉塞体は閉成位置においては第１バルブ開口を囲繞する中央載置バルブ座面にシール的に係合すると共に、シール圧力を決定する該ダイアフラム状閉塞体のスプリング圧負荷は前記バルブ座面の近傍かつ該バルブ座面の上方に中央配置された対抗圧力体により引き起こされ、前記バルブ座面は前記ダイアフラム状閉塞体によりカバーされたチャネル状バルブ・チャンバであってバルブ・ハウジング本体内に配備されると共に過剰圧力側にては少なくとも一個の第２バルブ開口が配備されたチャネル状バルブ・チャンバに囲繞された圧力解放バルブに関する。
【０００２】
この形式の圧力解放バルブは、ＵＳ−Ａ−５，９４４，０５０号から公知である。しかしこのバルブは、ダイアフラム状閉塞体の配置もしくは取付けの性質の結果として、比較的に低い圧力に対してのみ適している。該バルブはまた、対応した大きな熱慣性を有する比較的に大きな構造を有するものでもあり、たとえばＣＯ２空調システムで使用される場合に不都合な影響を有する。
【０００３】
ＵＳ−Ａ−５，４１３，３１１号はダイアフラム・バルブを開示しており、閉成用ピストンにより作動される対抗圧力体はリングにより囲繞され、該リングは閉成および開成バルブ位置の両方においてダイアフラム状閉塞体に係合するとともに、該リングにより前記ダイアフラム状閉塞体はその外周の近傍にて固定される。それはまた、前記対抗圧力体の最大揚動動作に対する停止部も形成する。該停止部は、バルブが最大に開成されると前記ダイアフラム状閉塞体が平坦形状を有する如き様式で位置される。故に、それはバルブ座面に係合したとき、その中央領域にて下方外方に湾曲される。
【０００４】
ＦＲ−Ａ−２６　７７　４２５号は、最大開成断面を有することが企図されたダイアフラム閉成バルブを開示している。この目的のために、解放状態において前記ダイアフラム状閉塞体は、その周縁固定部の平面から離間すべく上方外方へとプレート状にもしくは段部状に湾曲される。また閉成を目的とし、それは、バルブ座面の方向におけるそのスプリング張力に対抗する閉成用ピストンにより変形される。前記ダイアフラム閉成部材の固定平面から離間すべく前記バルブ座面が下方変位すると、閉成のために必要な前記ダイアフラム状閉塞体のスプリング弾性変形が大きくなる。前記閉成用ピストンを囲繞するリングは、ダイアフラム縁部を固定する役割と、前記閉成用ピストンが上昇された解放状態において前記ダイアフラム状閉塞体がそのプレート状開始形状を有するときに該ダイアフラム状閉塞体に対する境界ケーシングとしての役割とを果たす。
【０００５】
本発明の課題は、適切に大きな開口断面の場合おいてそのダイアフラム状閉塞体に過剰負荷することなく流入側および流出側の間における１５０バールより大きな圧力差に適した上述の形式の圧力解放バルブを提供するに在る。それは好適実施例に依れば、特にコンパクトな構造に依り且つ比較的に大きな流れ断面に関わらずに低い熱慣性を有することから、たとえばＣＯ２ 空調システムの冷却および加熱動作の間における如き顕著な温度変化を伴う領域において特に有利に使用され得る。
【０００６】
本発明に依れば前記課題は、前記バルブ座面上に載置された前記対抗圧力体または該対抗圧力体と協働する対抗圧力プレートは、バルブ・ハウジング上に保持されたダイアフラム支持リングであって前記対抗圧力体からバルブ・チャンバに亙り前記ダイアフラム状閉塞体の外側縁部まで外径方向に延在し且つバルブ・チャンバの上方にては前記ダイアフラム状閉塞体に直交して測定された深度が該ダイアフラム状閉塞体の最大撓みを決定するという周縁凹所を有するダイアフラム支持リングにより囲繞されることから、当該バルブが完全に開成されたときに前記ダイアフラム状閉塞体は前記バルブ座面と該ダイアフラム状閉塞体の外側縁部との間の領域において支持されることにより解決される。
【０００７】
以下においては、添付図面を参照して本発明の実施例が記述される。
ＣＯ２ 空調システムの高圧に対して特に適した圧力解放バルブ１は好適には、接続溝３、４を囲繞する基部５を備えた一体片でコンパクトなハウジング本体２と、それに接続されたカップ状ハウジング領域７を形成する筒状ハウジング壁６とを有し、該カップ状ハウジング領域７の底部へと接続溝３および４の第１および第２バルブ開口８および９が開口する。第１バルブ開口８を囲繞するバルブ座面１０の外側は、前記底部へとチャネル状に成形された平坦バルブ・チャンバ１１であって、ダイアフラム状閉塞体１３の周縁領域を保持して該周縁領域をシールすることが企図された挟持嵌合表面１２に向けて外方に延在する平坦バルブ・チャンバ１１により囲繞される。
【０００８】
ダイアフラム状閉塞体１３は少なくとも一個の平坦で好適には金属製のダイアフラムから形成されるが、該ダイアフラムは閉成位置においては平坦なバルブ座面１０に着座すると共に、この閉成位置においては、少なくとも一個のスプリング要素１４の閉成力を伝達する対抗圧力体１５により其処に保持される。好適には精巧に研磨されたバルブ座面１０と閉塞体１３の金属製ダイアフラムとの間における平坦表面シール接触に対し、対抗圧力体１５を介してこの領域に圧力が作用する結果、高圧と熱応力とに対抗するシール効果が得られる。
【０００９】
自由ダイアフラム表面の全体に対して突然に作用する力を吸収すべく、且つ、高い過剰圧力およびこれに対応する対抗圧力体１５の戻り移動により前記バルブが開成する時点でダイアフラム状閉塞体１３の過剰変形を防止すべく、前記閉塞体１３は、チャネル状周縁バルブ・チャンバ１１の上方の平坦支持リング１７であって径方向に接近して画成された領域において第２バルブ開口９と逆側となる平坦支持リング１７の支持縁部１６により支持される。前記バルブが閉成されたときに支持縁部１６はダイアフラム状閉塞体１３から離間されることから、前記支持縁部は前記ダイアフラム状閉塞体の開成移動の間においてのみ有効である。前記支持縁部はバルブ座面１０から上昇された前記ダイアフラム状閉塞体の位置において該ダイアフラム状閉塞体の多重湾曲を許容することで、図４に示された如く局部的過剰応力を防止する。
【００１０】
支持リング１７はまた外側の挟持用縁部１８により、ダイアフラム状閉塞体１３の縁部を保持する挟持リングの役割も果たす。故に、その挟持用縁部１８および支持縁部１６の間において支持リング１７は、前記縁部１６、１８を画成する凹所１９を有する。図３に係る位置から開始し、ダイアフラム状閉塞体１３は図４において開成されたバルブの拡大図に示された如く凹所１９内へと変形し得る。
【００１１】
支持リング１７がその挟持用縁部１８により前記ダイアフラム縁部に対してシール押圧すべく、外側螺条を有すると共に筒状ハウジング壁６の内側螺条２１に係合するネジ・リング２０が在る。
対抗圧力体１５によるダイアフラム状閉塞体１３のスプリング圧負荷は、そのスプリング特性の結果として、且つ、好適にはディスク・スプリング１４による制限設置高さの結果として引き起こされるが、該ディスク・スプリング１４は、図１に係る実施例において対抗圧力体１５のシャフト２２を囲繞すると共に、対抗圧力体１５の段部と、ハウジング領域７に螺着された螺条付きリング２３との間に固定される。
【００１２】
スプリング負荷された対抗圧力体１５からダイアフラム状閉塞体１３へのスプリング張力の伝達は好適には、ダイアフラム状閉塞体１３上に係合する対抗圧力プレート２４により行われる。バルブ座面１０に対してダイアフラム状閉塞体１３を均一に押圧すべく、対抗圧力プレート２４と対抗圧力体１５との間の接触は、両者の少なくとも一方に配備された湾曲表面であってその曲率の中心が第１バルブ開口８の軸心内に在るという湾曲表面により行われる。図１の実施例においては、ダイアフラム状閉塞体１３に係合する平坦な対抗圧力プレート２４に対して圧力伝達接触すべく対抗圧力体１５の球状湾曲端面２５が在る。しかし図５および図６の実施例において支持リング３３内に案内される対抗圧力部材３４はその上端部にて、対応して湾曲された凹所内に受容される凸状円形対称曲面部３５を備える。
【００１３】
図２の実施例において対抗圧力体３０は対抗圧力部材３０のみから成り、ネジ体３２の凹所３１内には等方向に配置された２個のディスク・スプリング１４が載置されてスプリング事前張力を決定している。実質的に径方向に指向された凹所３１の内面３３はディスク・スプリング１４から離間して傾斜されるので、対抗圧力部材３０から離間する様に、該ディスク・スプリングはバルブ閉成位置に対応する位置から弾性移動し得る。前記対抗圧力体の圧力作用は、それに係合するディスク・スプリング１４の内側縁部により引き起こされる。ディスク・スプリング１４に張力付与するネジ体３２は、バルブ高さを制限すべく支持リング１７を保持するネジ・リング２０へと螺着される。支持リング１７を越えて僅かのみ突出するという対抗圧力部材３０の最小高さは、図２に係るバルブの平坦構造に寄与する。
【００１４】
図５および図６は、挟持用縁部１８に対する硬直した挟持嵌合の結果としてのダイアフラム状閉塞体１３における引張応力であってバルブ応答圧力の変動に繋がる引張応力を回避する手段を備えた本発明に係る圧力解放バルブを示している。斯かる応力が生ずるのは、ダイアフラム状閉塞体１３が、最初のバルブ開成の間においては屈曲により挟持用縁部１８との挟持嵌合部から幾分か引き出されるが、引き続く閉成の間においては挟持嵌合部における摩擦力の故に完全には戻り摺動し得ないからである。
【００１５】
前記ダイアフラム状閉塞体における引張応力を回避する第１手段および図５および図６に依ればダイアフラムの外周すなわち挟持嵌合表面１８の近傍には弾性シール・リング３７が配備されるが、該リングはたとえばＯ−リングの形態であると共に、ハウジング本体２の周縁スロット３８に囲繞され且つ事前張力下で前記ダイアフラム状閉塞体に係合する。その様にダイアフラム状閉塞体をシールすると挟持用縁部１８に対する挟持力は相当に減少され得ることから、バルブの開閉時にダイアフラム状閉塞体１３はその縁部シールの領域において適切な摺動移動を行うことで永続的な引張応力を防止する。
【００１６】
ダイアフラム状閉塞体における引張応力を回避するたとえば付加的な第２の手段として、図６の実施例においてダイアフラム状閉塞体には円周方向のチャネル状膨出部３９が配備される。ダイアフラム状閉塞体１３の下方を通るバルブ・チャンバ１１は斯かる膨出部３９の位置決めに対する自由空間を提供する。チャネル状膨出部３９の代わりに、ダイアフラム状閉塞体１３は不図示の様式で周縁段部を有し得る。但しダイアフラム状閉塞体１３における斯かる段部によると、周縁挟持嵌合表面１２がバルブ座面１０と同一の平面内に載置されるのが妨げられる。斯かる周縁膨出部３９または段部はダイアフラム状閉塞体１３の開成移動から帰着する引張力であって該ダイアフラム状閉塞体の平面内に生ずる引張力を弾性的に吸収し得ることから、挟持嵌合表面１２上における周縁挟持嵌合からダイアフラム状閉塞体１３が引き出されるのが防止される。
【図面の簡単な説明】
【図１】
閉成位置における圧力解放バルブの縮尺通りではない断面図である。
【図２】
本発明の圧力解放バルブの第２実施例の断面図である。
【図３】
図１の断面図において閉成された場合のダイアフラム状閉塞体の近傍の拡大詳細図である。
【図４】
ダイアフラム状閉塞体が屈曲されてバルブ・シートから上昇された図３に対応する図である。
【図５】
本発明に係る圧力解放バルブの第３実施例の拡大断面図である。
【図６】
本発明に係る圧力解放バルブの第４実施例の拡大断面図である。
【国際公開パンフレット】
2004514850.tif 000003
2004514850.tif 000004
2004514850.tif 000005
2004514850.tif 000006
2004514850.tif 000007
2004514850.tif 000008
2004514850.tif 000009
2004514850.tif 000010
2004514850.tif 000011
2004514850.tif 000012
2004514850.tif 000013
2004514850.tif 000014
2004514850.tif 000015
2004514850.tif 000016
2004514850.tif 000017
2004514850.tif 000018
2004514850.tif 000019
2004514850.tif 000020
【国際調査報告】
2004514850.tif 000021
2004514850.tif 000022
2004514850.tif 000023
2004514850.tif 000024
2004514850.tif 000025
2004514850.tif 000026